(57)【特許請求の範囲】
【請求項１】
眼鏡をかけた状態で眼鏡のテンプル部の任意の位置に装着できる構造の眼鏡の固定具であって、紐状部材と、該紐状部材を眼鏡のテンプル部に取り付けるための取り付け部材とからなり、且つ、該取り付け部材が、面ファスナーで形成されており、該面ファスナーの互いに接合する接合面で眼鏡のテンプル部と、紐状部材とを挟み込む構造を有することを特徴とする眼鏡の固定具。
【請求項２】
前記取り付け部材が、前記紐状部材の少なくとも一方の端部近傍に固着して設けられている請求項１に記載の眼鏡の固定具。
【請求項３】
前記取り付け部材が、前記紐状部材の２箇所に設けられ、一方の取り付け部材が、前記紐状部材の１の端部近傍に固着して設けられ、且つ、他方の取り付け部材が、前記紐状部材の固定位置が調整できる状態に固着して設けられている請求項１に記載の眼鏡の固定具。
【請求項４】
前記取り付け部材が、前記紐状部材の２箇所に設けられ、両方の取り付け部材が、前記紐状部材の固定位置が調整できる状態に固着して設けられている請求項１に記載の眼鏡の固定具。
【請求項５】
前記取り付け部材の何れかが、１枚を折り曲げて面同士を接合できる折り曲げ可能な面ファスナーである請求項１〜４の何れか１項に記載の眼鏡の固定具。
【請求項６】
前記取り付け部材の何れかが互いに接合される１対の面ファスナーからなり、それぞれの部材の接合面が同一形状を有する請求項１〜４の何れか１項に記載の眼鏡の固定具。
【請求項７】
前記取り付け部材の何れかが互いに接合される１対の面ファスナーからなり、それぞれの部材の接合面の形状が互いに異なる請求項１〜４の何れか１項に記載の眼鏡の固定具。
【請求項８】
前記紐状部材が、布製の紐或いはテープ、編物からなる紐或いはテープ状物、金属製の鎖、線或いは帯状物の何れかである請求項１〜７の何れか１項に記載の眼鏡の固定具。
【発明の詳細な説明】
【技術分野】
【０００１】
本発明は、眼鏡固定具に関する。更に詳しくは視力矯正用眼鏡、老眼鏡、保護眼鏡およびサングラスなどの各種眼鏡に装着し、眼鏡がズレたり外れたりするのを防ぐのに最適な眼鏡固定具に関する。
【背景技術】
【０００２】
従来、汗や運動または下を向いた作業などにより、着用した眼鏡が着用位置からズレたり外れたりしないようにするために眼鏡固定具が使用されている。
【０００３】
一般的なものとしては、眼鏡フレームの両テンプル部を繋げるように弾性を有するゴム製バンドなどの帯状物を取り付けた眼鏡固定具であり、眼鏡を装用した状態で該帯状物を後頭部に回し、該帯状物の弾性力を生かして眼鏡を使用者の顔面に引きつけるように圧力をかけることにより、眼鏡をしっかりと固定することができるものである。
【０００４】
しかしながら、上記した従来の眼鏡固定具は、帯状物の弾性力により眼鏡の位置が固定されるため、使用者の頭部には常に圧力がかかり、その結果、髪が乱れ、鼻から耳側部にかけて跡がついたり、また着用時の装用感が気になるという問題があった。
【０００５】
上記問題に対して、例えば、特許文献１にあるように、眼鏡フレームのテンプル部に装着され、耳を中点として眼鏡部と重さのバランスが取れるようなＵ字型の金属またはプラスチックなどからなり、髪との間に間隔を持って頭の周囲を回るような眼鏡固定具が提案されている。
【０００６】
しかし、この眼鏡固定具を使用した場合でも、眼鏡固定具は眼鏡部との重さのバランスを取る必要性から全体として重いものとなり耳への負担が大きくなる問題がある。また、眼鏡固定具のサイズも大きくなるため、目立つものとなり、ファッション性に優れない。
【０００７】
また、従来の眼鏡固定具に共通する課題として、眼鏡固定具が、眼鏡フレームのテンプル部にしっかり固定されていることから取り外しが容易ではなく、使用者の頭部に何らかの衝撃が加わった場合でも眼鏡固定具が外れることがなく、衝撃により眼鏡が使用者の顔面に当たり怪我をする恐れがあった。
【０００８】
【特許文献１】特開２００１−２１８４３号公報
【発明の開示】
【発明が解決しようとする課題】
【０００９】
従って、本発明の目的は、各種眼鏡を着用した際に、眼鏡がズレたり外れたりするのを防止するだけでなく、髪の乱れを防ぎ、鼻から耳側部に跡がつきにくく、軽量で、装用感が気にならず、取り外しが容易であり、また安全でファッション性に優れた眼鏡固定具を提供することにある。
【課題を解決するための手段】
【００１０】
上記問題は以下の本発明により解決される。即ち、本発明は、眼鏡をかけた状態で眼鏡のテンプル部の任意の位置に装着できる構造の眼鏡の固定具であって、紐状部材と、該紐状部材を眼鏡のテンプル部に取り付けるための取り付け部材とからなり、且つ、該取り付け部材が、面ファスナーで形成されており、該面ファスナーの互いに接合する接合面で眼鏡のテンプル部と、紐状部材とを挟み込む構造を有することを特徴とする眼鏡の固定具である。
【発明の効果】
【００１１】
本発明によれば、各種眼鏡を着用した際に、眼鏡がズレたり外れたりするのを防止するだけでなく、髪の乱れを防ぎ、鼻から耳側部に跡がつきにくく、軽量で、装用感が気にならず、取り外しが容易であり、また安全でファッション性に優れた眼鏡固定具を提供することができる。
【発明を実施するための最良の形態】
【００１２】
以下に、図面を参照して本発明を詳細に説明する。
図１は、本発明の一実施例の眼鏡固定具の使用状態を示す斜視図である。本発明の眼鏡固定具は、眼鏡をかけた状態で眼鏡のテンプル部１０に装着する構造の眼鏡の固定具であるが、紐状部材２と、該紐状部材２を眼鏡のテンプル部１０に取り付けるための取り付け部材１とからなり、且つ、該取り付け部材１が、面ファスナーで形成されていることを特徴とする。
【００１３】
本発明に使用する面ファスナーは、特に限定はなく、市販されている何れのものも使用できる。例えば、カネボウ社製の商品名‘マジクロス’などの一対の面ファスナーの面上にフックの機能とループの機能をそれぞれ別々に設けることにより、当該面同士を密着させて接合する方式のものや、例えば、クラレ社製の商品名‘自由自在バンド’などの１枚の面ファスナーの面上にフックとループの機能を両方備えており、当該面同士を密着させて接合する方式のものなどを使用できる。特に、後者の面ファスナーは、１枚の面ファスナーを折り曲げて面同士を接合することもできるし、また他の面ファスナーと接合する際も、他がフックまたはループのどちらの機能を有するかを問わず使用できるため、より好ましい。
【００１４】
本発明に用いる取り付け部材を面ファスナーとすることで、加工が容易な面ファスナーにより、バリエーションが富み、ファッション性に優れた取り付け部材が可能となる。また、接合および分離が容易な面ファスナーにより、本発明の眼鏡固定具は、取り付けおよび取り外しが容易である。
【００１５】
また、上記面ファスナーは、眼鏡固定具を眼鏡に装着させる役割を有する。例えば、図２（ｂ）に示すように、眼鏡フレーム１１のテンプル部１０を面ファスナー１により挟み、その状態で面ファスナー１を接合することで、眼鏡固定具を眼鏡に装着する。この際、眼鏡フレーム１１のテンプル部１０に装着する面ファスナー１の位置をテンプル部１０の長さ方向（矢印ｆ）に調整することができるので、任意の位置で眼鏡固定具を眼鏡に固定できる。従って、その調整幅により紐状部材２が後頭部に与える圧力を調整できる。つまり、本発明の固定具は、ゴムなどの弾性力による眼鏡の位置調整ではないため、髪の乱れや眼鏡などの跡を防止し、また装用感が気にならずに、眼鏡の位置がズレないように固定できる。また、本発明で使用する面ファスナーは、眼鏡使用者の頭部に強い衝撃が加わった場合には、面ファスナーの接合部分が容易に分離できるので、安全性の観点からも好ましい。
【００１６】
以下、本発明の眼鏡固定具を構成する取り付け部材の種々の形態について説明する。本発明に用いる面ファスナーは、紐状部材の少なくとも一方の端部近傍に固着して設けられる。面ファスナーを紐状部材の両方の端部近傍に固着して設けることにより、眼鏡固定具を眼鏡に装着した際、左右両テンプル部で面ファスナーを固定する位置を調整できる。また、面ファスナーを紐状部材の一方の端部近傍に固着し、紐状部材のもう一方の端部を眼鏡に直接固着させることにより、眼鏡をかけた状態で、面ファスナーが装着された一方のみを操作し、眼鏡固定具の付け外しを可能とすることができる。
【００１７】
また、本発明の眼鏡固定具は、面ファスナーを、紐状部材の端部近傍に、該紐状部材の固定位置が任意に調整できる状態に固着して設けることができる。例えば、図３に示すとおり、取り付け部材を２枚の面ファスナーで構成し、面ファスナー１Ａを紐状部材と平行な横長形状としたものが挙げられる。このようにすれば、テンプル部１０に装着する際、面ファスナー１Ａが面ファスナー１Ｂと接合する位置を面ファスナー１Ａの形状の範囲内で調整することができ、上記調整幅により、紐状部材２の頭部への圧力を調整できる。例えば、図３（ａ）から図３（ｂ）へ面ファスナー１Ａを面ファスナー１Ｂで接合する位置を変更することにより、紐状部材２による使用者の頭部に対する圧力を最適な状態とすることができる。なお、面ファスナー１Ｂの形状は、特に限定されないが、例えば、図３（ａ）または（ｂ）に示される形状とし、面ファスナー１Ａとの取り外しを簡単にする形状が好ましく、また、例えば、図５（ａ）に示される形状とし、面ファスナー１Ａと１Ｂの接合強度をより強くすることも可能である。
【００１８】
また、別の実施態様として、図４に示すとおり、取り付け部材を２枚の面ファスナーで構成し、面ファスナー１Ｃの面上に該紐状部材２を通すことができる穴１Ｃ´を設け、該紐状部材２を先端部２´から穴１Ｃ´へ通し、該紐状部材２の固定位置を任意に調整できる状態とした態様がある。この場合には、該紐状部材２の先端部２´を穴１Ｃ´に通した後、矢印ｈの方向に紐状部材２を移動させて紐状部材２の長さを調整する。そして、使用に適した場所で紐状部材２とテンプル部１０を挟みながら面ファスナー１Ｃと面ファスナー１Ｂを接合し（矢印ｇ）、紐状部材２の位置を固定する。これにより本発明の眼鏡固定具の紐状部材２の長さを適宜に調整することができる。また、眼鏡を着用しない場合に、紐状部材２を使用者の頭部の大きさより長くすることで、紐状部材２を首に掛けることにより眼鏡を首に吊るして置くことができる形態となる。
【００１９】
紐状部材の左右端部近傍に設ける取り付け部材は、使用する面ファスナーの形状あるいは紐状部材への取り付け方法の組み合わせにより、様々な態様が考えられる。例えば、面ファスナーを紐状部材の一方の端部近傍に設け、且つ、紐状部材の他端を眼鏡のテンプル部に、取り付け部材を介することなく固着させた組み合わせ、面ファスナーを紐状部材の両端部近傍に設け、一方を図２に示したような、紐状部材と面ファスナーとが固着された状態とし、且つ、他方を、図３あるいは４に示したように紐状部材の固定位置が移動できる状態にした組み合わせ、両方を図４に示した紐状部材の固定位置が移動できる状態にした組み合わせなどが挙げられる。
【００２０】
また、本発明に用いる面ファスナーの形状は、特に限定はなく、またその形状の選択および構造により様々な態様が可能となる。例えば、面ファスナーが１枚の部材からなり、該面ファスナーを折り曲げることで接合される構造からなる態様（図５（ｂ）参照）、面ファスナーが互いに接合される１対の部材からなり、それぞれの部材の接合面が同一形状を有する態様、互いに接合される１対の部材からなり、それぞれの部材の接合面の形状が互いに異なる態様、または互いに接合される１対の部材からなり、その一方が、他方の部材を挟んで折り曲げることで１対の部材が接合される態様などを挙げることができる。
【００２１】
また、本発明の眼鏡固定具は、面ファスナーの接合部以外の面上に絵柄模様、例えばキャラクターデザインなどを施すことにより、ファッション性を付与することもできる。
【００２２】
本発明の眼鏡固定具に用いる紐状部材は、特に限定はなく、例えば、布製の紐或いはテープ、編物からなる紐或いはテープ状物、金属製の鎖、線或いは帯状物など使用者の後頭部に沿うことができるものであれば何れも用いることができる。本発明は、紐状部材として弾性力の強いものを使用する必要がなく、また質量を重くしバランスを取る必要がないため、軽く、装用感がない眼鏡固定具が作成できる。
【００２３】
また、紐状部材は、眼鏡や服装などと色合いなどを調和させることにより、または、市販されているネックレスなどのアクセサリーを用いることによりファッションとして楽しむこともできる（図５（ｃ）参照）。
【００２４】
前記アクセサリーを紐状部材に用いる場合、眼鏡固定具の眼鏡との取り付け部は、図４に示したような面ファスナーの面上に紐状部材であるアクセサリーを通す穴を設けた面ファスナーを用いることが好ましい。これにより、アクセサリーに接着剤を塗布するなどの加工を加えることなく、アクセサリーを眼鏡固定具の紐状部材として使用でき、またその後に、再びアクセサリーとしても用いることができる。
【産業上の利用可能性】
【００２５】
本発明によれば、各種眼鏡を着用した際に、眼鏡がズレたり外れたりするのを防止するだけでなく、髪の乱れを防ぎ、鼻から耳側部に跡がつきにくく、軽量で、装用感が気にならず、取り外しが容易であり、また安全でファッション性に優れた眼鏡固定具を提供することができる。従って、子供など運動を行なう人、手術など下を向いた作業を行なう人、または汗をかく人などが眼鏡を使用する場合に最適である。
【図面の簡単な説明】
【００２６】
【図１】本発明の一実施例の眼鏡固定具を使用した場合を示す斜視図である。
【図２】（ａ）は本発明の一実施例の眼鏡固定具を眼鏡のテンプル部に装着するのを示した図であり、また（ｂ）は、その斜視図である。
【図３】（ａ）、（ｂ）は、本発明の他の実施例の眼鏡固定具を示した図である。
【図４】本発明の他の実施例の眼鏡固定具を示した図である。
【図５】（ａ）、（ｂ）、（ｃ）は、本発明の他の実施例の眼鏡固定具を示した図である。
【符号の説明】
【００２７】
１：取り付け部材（面ファスナー）
１Ａ：面ファスナー
１Ｂ：面ファスナー
１Ｃ：面ファスナー
１Ｃ´：面ファスナー１Ｃの面上に設けられた穴
２：紐状部材
２´：紐状部材の先端部
１０：眼鏡フレームのテンプル部
１１：眼鏡フレーム
【図１】
0004832173.tif 000002
【図２】
0004832173.tif 000003
【図３】
0004832173.tif 000004
【図４】
0004832173.tif 000005
【図５】
0004832173.tif 000006